(57)【要約】【課題】  老化や脳梗塞や骨折等により硬直化がみられる方の多くは、朝夕や気温の変化等により足首の硬直度が変化し、その都度の傾斜角の変更は煩雑であり、足の位置によって容易に傾斜角度を変化させる。【解決手段】傾斜のある足踏み板と、この足踏み板に乗せる足の位置によって傾斜角度が異なっているように構成し、器具によって傾斜角度の調整や変更することなく、足首が硬化しつつある全ての方に対応できる足踏み、足載せストレッチ用具の曲線を提供する。【選択図】図６
0003140186.tif 000002
【実用新案登録請求の範囲】
【請求項１】
傾斜のある足踏み板と、前記足踏み板に乗せる足の位置によって傾斜角度が異なっているストレッチ器具。
【請求項２】
傾斜角の変化幅が足裏の長さより短い単位で変化する小段階変化である請求項１記載のストレッチ器具。
【請求項３】
傾斜角の変化幅が足裏の長さより長い単位で変化する大段階変化である請求項１記載のストレッチ器具。
【請求項４】
進行方向に向かって下り傾斜または上り傾斜であり、進行するにしたがってしだいに傾斜角が大きくなる請求項１記載のストレッチ器具。
【請求項５】
進行方向に向かって下り傾斜と登り傾斜の両方の傾斜を備えた請求項１から４のいずれか１項記載のストレッチ器具。
【請求項６】
下り傾斜と登り傾斜の間に水平部分を備えた請求項１記載のストレッチ器具。
【請求項７】
足裏長さより短い幅の板を段階的に並べて傾斜角を構成した請求項１記載のストレッチ器具。
【請求項８】
傾斜がなめらかな曲線で構成される請求項１記載のストレッチ器具。
【請求項９】
足踏み板が同一形状の小板を複数並べて構成された請求項１から７のいずれか１項記載のストレッチ器具。
【請求項１０】
足踏み板が一体成型品で構成される請求項１から６のいずれか１項または請求項８または請求項９項記載のストレッチ器具。
【請求項１１】
足踏み板の上部に手すりを備えた請求項１から７のいずれか１項記載のストレッチ器具。
【考案の詳細な説明】
【技術分野】
【０００１】
本考案は、足首や脹ら脛のストレッチに関する器具である。
本考案は足載せ台の傾斜角を変更することなく、足首が硬化しつつある全ての方や脹ら脛を伸ばしたい方に対応できる足踏み、足載せ「ストレッチ用具」である。
【背景技術】
【０００２】
従来の足踏みは、特開２００６−３０５２４９号公報で示すように、角度の調節ができる踏み板を傾斜させ、その板の上に足をのせてストレッチするものであった。
【特許文献１】特開２００６−３０５２４９号公報
【考案の開示】
【考案が解決しようとする課題】
【０００３】
前記の構成では、足首の角度を変えながらストレッチするときに、その都度踏み板の角度を調節しなければならなかったが、本考案は、前述の欠点を解決したもので、器具の調節を行なうことなく、その人にあったストレッチを行うことのできる器具を提供することを目的としたものである。
【課題を解決するための手段】
【０００４】
本考案は、傾斜のある足踏み板と、足踏み板に乗せる足の位置によって傾斜角度が異なるもので、踏み台に足をのせ、前進や後進をすることで、適当な傾斜角を得てストレッチを行う。
【考案の効果】
【０００５】
老化や脳梗塞や骨折等により硬直化がみられる方の多くは、朝夕や季節等により足首の硬直度が変化し、その都度の傾斜角の変更は煩雑であった。本考案が提供する「ストレッチ健康器具」は下り面から水平面・弱い昇り面・更に強い昇り面を有し、体を前進や後進するだけで、すなわち足の位置を変えることで自分にあった傾斜角を得られるので、最適な状態を選択してストレッチを行うことができ、ストレッチの効果が高い。
【考案を実施するための最良の形態】
【０００６】
考案を足踏み器に応用した例を以下に示す。
【実施例１】
【０００７】
以下、本考案の実施例を添付図面に従って説明する。図１において、踏み板台１の上に、足踏み板２ａ、２ｂ、・・・・、２ｎを複数並べてスロープを形成している。このスロープは、進行方向（矢印Ａ）に向かって、下り傾斜になっている下りスロープ部３Ａと、ほぼ水平になっている水平スロープ部３Ｂと、上り傾斜になっている上りスロープ３Ｃからなっている。
【０００８】
図２〜図４は、スロープに足を乗せて体重をかけて、足の甲や足首のストレッチを行っている図である。図２は下りスロープに足を置いている状態であり、図３では、足の位置を変えて水平スロープ付近でストレッチを行っている状態である。図４はさらに足の位置を変え上りスロープでストレッチを行っている状態である。
【０００９】
足踏み板は２ａ、２ｂ等は図２に示すように、足裏の長さに対して短い板で構成されており、足裏の長さに対して傾斜角度を細かいピッチで変化している。足踏み板２ａ、２ｂ等は同一形状の物を順次並べてスロープを構成すれば、量産化が容易になる。
【００１０】
スロープの傾斜角度は、図１に示すように円弧状になっており、下りスロープ３Ａにおいては進行方向に向かってしだいに下りの傾斜角度が大きくなっており、上りスロープ３Ｃにおいては進行方向に向かってしだいに上りの傾斜角度が大きくなっている。したがって下りスロープ３Ａでは、はじめは足の甲や足首が浅く曲げられている状態であり、進行方向に足の位置を変えることによりしだいに深く曲げられることになる。上りスロープでは足首の角度は逆向きになるが、同様に足の位置によって曲げられる足の角度が変化する。
【００１１】
本考案の具体的使用例は図５に示す。本考案の使用者は、老化や脳梗塞や骨折等により硬直化がみられる方であるが、朝夕や気温・湿度等により足首の硬直度が変化し、その都度の傾斜角の変更は煩雑であった。本考案が提供する「ストレッチ健康器具」は下り面（図１）から水平面・弱い昇り面（図２）・更に強い昇り面（図３）を有し、体を前進や後進するだけで、自分にあった傾斜角を得られるものである。
【００１２】
本考案は図６に示すように使用者が立ってストレッチを行うが、前後きに倒れやすくなる為、危険防止に前方に手摺り４を設置した。また、靴下を履いたままでストレッチを行うと、足裏が滑るため、足踏み板２は方策の一つとして図８に示すように滑り止め用のＶ字型の溝２ａ1を有する板を傾斜に直角に貼り付けた。
【００１３】
更に図５に示すように足踏み台１の一部に半円状の柱体５を設置し、この柱体５の部分を足で踏むことにより、足裏を刺激してマッサージを行うものである。
【００１４】
更に、図９に示すように、柱体５の一部に足のつぼへの刺激を強くするために半球状の突起体６を設置し、この突起体６の部分によって足裏のつぼを刺激するものである。
【００１５】
また、図７に示すように手摺り４を後方に倒すことによって折りたたみを可能にし、移動使用が出来やすくまた収納し易くすることができる。
【実施例２】
【００１６】
図１０は、本発明の他の実施例を示す図で、図１１は下り傾斜になっている下しスロープ部７Ａと、ほぼ水平になっている水平スロープ部７Ｂと、上り傾斜になっている上りスロープ７Ｃからなっており、傾斜角の変化幅が足裏の長さより長い単位で変化している。この構成により部品点数の削減ができ、また樹脂材料等で一体的に成型すれば低コスト化が可能である。
図１１はスロープ全体がなめらかな曲線７Ｄで構成されているものである。この場合滑り止めとして、凹凸を設けたりあるいは摩擦係数の大きい材料を使用することもできる。
【図面の簡単な説明】
【００１７】
【図１】本考案の実施例１のストレッチ健康器具の基本形を示す斜視図。
【図２】同下り傾斜での使用状態を示す図。
【図３】同弱い登り傾斜での使用状態を示す図。
【図４】同強い登り傾斜での使用状態を示す図。
【図５】同全体の構成図。
【図６】同全体の使用状態を示す図。
【図７】同折りたたんだ状態を示す図。
【図８】同足踏み板の拡大図。
【図９】同足つぼを刺激する突起体の拡大図。
【図１０】本考案の実施例２のストレッチ健康器具の足踏み部の構成を示す図。
【図１１】同足踏み部の構成を示す図。
【符号の説明】
【００１８】
１  足踏み台
２  足踏み板
４  手摺り
５  柱体
６  突起体
【図１】
0003140186.tif 000003
【図２】
0003140186.tif 000004
【図３】
0003140186.tif 000005
【図４】
0003140186.tif 000006
【図５】
0003140186.tif 000007
【図６】
0003140186.tif 000008
【図７】
0003140186.tif 000009
【図８】
0003140186.tif 000010
【図９】
0003140186.tif 000011
【図１０】
0003140186.tif 000012
【図１１】
0003140186.tif 000013